(57)【特許請求の範囲】
【請求項１】
無線伝送路に挿入配設する中継伝送局で、送信端局から送られてきた無線データ信号に含まれた、前記送信端局でオーバーサンプリングされて、前記送信端局から宛先となる受信端局に向けて通信される内容である主信号と共に重畳されて送られてきた、無線フレーム中で所定の伝送帯域として割り当てられた周波数帯域に合わせて生成されたクロック信号に非同期であり補助信号の内容にあたるデータ信号を中継伝送する際の無線伝送方法において、
前記無線伝送路から受信した無線データ信号を受け付ける処理を行う受信側伝送装置と 該受け付けた無線データ信号を前記無線伝送路に送出する送信側伝送装置と を接続する前記中継伝送局内の局内中継伝送路では、
前記受信側伝送装置によって、前記無線伝送路から受信した無線データ信号に 復調処理を行うことによって得られた前記送信端局がオーバーサンプリング処理して生成した、オーバーサンプリングされているデータ信号を、前記無線伝送路の無線フレームから抽出して得た前記所定の伝送帯域のクロック信号に同期したシリアル信号にデスタッフ処理して変換して、該シリアル信号と該クロック信号とを同期状態で前記送信側伝送装置へと伝送すると共に、
前記送信側伝送装置によって、オーバーサンプリング処理を介さずに、送られてきた前記シリアル信号を同時に送られてきたクロック信号を使用してスタッフ処理を行った後に、前記所定の伝送帯域にフレーム多重処理して前記主信号と共に無線フレームに形成して無線送信する
ことを特徴とするオーバーサンプリングされた信号を中継する無線伝送方法。
【請求項２】
請求項１に記載の無線伝送方法において、
前記無線フレーム中での所定の伝送帯域として、補助信号用の伝送帯域を用い、
前記補助信号用の伝送帯域に合わせて生成されたクロック信号に非同期である中継対象であるデータ信号は、前記クロック信号よりも長い非整数倍の信号長を有している
ことを特徴とする無線伝送方法。
【請求項３】
請求項１又は２に記載の無線伝送方法において、
前記送信側伝送装置にオーバーサンプリング処理手段を具備すると共に、
前記スタッフ処理への入力を、
前記局内中継伝送路に接続する際には前記受信側伝送装置から伝送される同期された前記シリアル信号及び前記クロック信号を、
端局入力インタフェースに接続して自中継伝送局を送信端局として用いる際には前記オーバーサンプリング処理手段を介して送出される前記端局入力インタフェースに入力されたデータ信号及びそのクロック信号を、
用いられるように切替え可能に接続し、
局設定信号に基づき自中継伝送局を無線端局として、前記端局入力インタフェースに入力されたデータ信号をオーバーサンプリング処理し、スタッフ処理を行った後に、前記所定の伝送帯域にフレーム多重処理して無線フレームに形成して無線送信する
ことを特徴とする無線伝送方法。
【請求項４】
無線伝送路に挿入配設されて、無線フレームに乗せて送信端局から送られてきた無線データ信号に含まれた、前記送信端局でオーバーサンプリングされて、前記送信端局から宛先となる受信端局に向けて通信される内容である主信号と共に重畳されて送られてきた、無線フレーム中で所定の伝送帯域として割り当てられた周波数帯域に合わせて生成されたクロック信号に非同期であり補助信号の内容にあたるデータ信号を、中継する無線伝送局であって、
前記無線伝送路から受信した無線データ信号を受け付ける処理を行う受信側伝送装置として、
受信した前記無線データ信号に対して復調及びクロック抽出を行う無線受信回路と、
前記無線受信回路により復調されたデータ信号及び抽出されたクロック信号からフレーム同期を確立し、後続回路の動作タイミングを生成するフレーム同期回路と、
前記フレーム同期回路から入力されるタイミングにより前記復調されたデータ信号から所望のデータ信号の抽出を行うデータ抽出回路と、
前記フレーム同期回路から入力されるタイミングにより前記データ抽出回路から入力される前記データ信号に対してデスタッフ処理を行うデスタッフ回路と、
前記デスタッフ回路から入力されるデスタッフ処理後の同期されたデータ信号およびクロック信号に対して 前記無線受信回路により抽出されたクロック信号に基づく平滑化処理を行い、平滑化処理後の同期されたデータ信号およびクロック信号を、それぞれ分けて同一中継伝送局の送信側に送出する平滑化回路と、
を備え、
受け付けた無線データ信号を前記無線伝送路に送出する送信側伝送装置として、
送信用基準クロック信号を生成する基準発振器と、
前記送信用基準クロック信号から伝送装置回路動作用のタイミングを生成するための送信タイミング生成回路と、
前記受信側伝送装置からそれぞれ分けられて送られてきた同期されたデータ信号およびクロック信号を入力として受付て、送信出力する無線フレームに多重するために前記送信タイミング生成回路から入力するタイミングにより同期変換を行うスタッフ回路と、
スタッフ処理後のデータ信号を、前記送信タイミング生成回路から入力されたタイミングにより無線フレームに多重するフレーム多重回路と、
当該無線フレームに対して変調し、それを無線伝送路へ送信する無線送信回路と、
を備え、
前記受信側伝送装置の前記平滑化回路における前記平滑化処理後の同期されたデータ信号及びクロック信号をそれぞれ分けて、オーバーサンプリング処理を介さずに前記送信側伝送装置の前記スタッフ回路に接続して信号処理を行い、スタッフ処理後に前記所定の伝送帯域にフレーム多重処理して無線フレームに形成して無線送信する中継伝送局を構築することを特徴とする無線伝送局。
【請求項５】
請求項４に記載の無線伝送局であって、
前記送信側伝送装置は、更に、
オーバーサンプリングのためのタイミングクロック信号を生成する内部発振器と、
外部から入力されるシリアルデータ信号をオーバーサンプリングするオーバーサンプリング回路と、
前記オーバーサンプリング回路と前記スタッフ回路との間に追加して設けられ、外部からの入力が無線端局か中継伝送局かの局設定通知に従って、無線端局設定通知の場合には前記オーバーサンプリング回路の出力に、中継伝送局設定通知の場合には前記受信側伝送装置から送出されて局内中継伝送路から受信する同期されたデータ信号及びクロック信号に、前記スタッフ回路への出力を切り替える切替回路と、
を備えることを特徴とする無線伝送局。
【請求項６】
請求項５に記載の無線伝送局であって、
前記送信側伝送装置は、
前記内部発振器が分周回路であり、当該分周回路が、出力するタイミングクロック信号を、前記基準発振器により生成される送信用基準クロック信号を受けて分周し生成することを特徴とする無線伝送局。
【請求項７】
請求項６に記載の無線伝送局において、
前記受信側伝送装置の前記平滑化回路の出力として、着信端末への無線伝送路に対しては前記平滑化処理後のデータ信号のみを接続して無線端局を形成し、又は、中継伝送局内で対向する送信側伝送装置への中継伝送路に対しては同期されたデータ信号及びクロック信号を接続して中継伝送局を形成することを特徴とする無線伝送局。
【発明の詳細な説明】
【技術分野】
【０００１】
本発明は、非同期シリアル通信における中継伝送を考慮した無線伝送方法および無線伝送装置に関し、特に伝送品質の低下軽減を可能にする無線伝送方法及びその装置に関するものである。
【背景技術】
【０００２】
従来の無線伝送方式及びその装置では、無線伝送装置を対向させて一対一の間で通信を行う場合、主信号伝送のほかにＲＳ−２３２Ｃに代表されるような非同期のシリアルデータ信号用のインタフェースを持つものがある。この場合、前記シリアルデータ信号は、補助信号用の伝送帯域を利用して伝送される。外部から入力されるシリアルデータ信号は前記伝送帯域に応じて生成したクロック信号と非同期、かつ、非整数倍であることが多い。前記シリアルデータ信号の伝送方式としては、次の二方式が知られている。
【０００３】
第１の方式は、例えば、特開２０００−１１５１４５号公報（特許文献１参照）に開示されている。この方式では、外部から入力されるシリアルデータ信号に対して、いったんスタートビット、ストップビット、パリティビット、及びキャラクタデータを分離する。出力する際には、キャラクタデータのみが演算回路に取り込まれ、演算装置で再度、スタートビット、ストップビット、パリティビットが付加される。その後、出力信号は、外部から入力されるシリアルデータ信号よりも若干速いベアラ速度の同期方式信号として取り出され、多重化処理が行われて伝送される。
【０００４】
この方式では、外部から入力された非同期シリアルデータ信号に対して、各種ビットとデータ信号とを分離するため、シリアル入出力回路に加えて、スタートビット、ストップビット、及びパリティビットを付加し無線フレームへ予め割り当てられた帯域の速度へ同期変換するための演算回路が必要になる。このため、回路規模が大きくなることは避けられない。
【０００５】
これを回避するため、第２の方式では、外部から入力された非同期のシリアルデータ信号に対し、無線フレーム中に予め割り当てた帯域のクロック信号でオーバーサンプリング処理およびスタッフ処理が行われ、無線フレームに多重して伝送出力されている。
【０００６】
この第２の方式について、図１２及び図１３を参照して説明する。図１２は、無線伝送路を介して送信側伝送装置１１０と受信側伝送装置１２０とが一対一で対向して信号を送受信する構成の一例を機能ブロックにより示す図である。
【０００７】
図示される送信側伝送装置１１０では、オーバーサンプリング回路１１１が発信端末からの入力インタフェースにより入力されるシリアルデータ信号を無線フレーム中に予め割り当てられた伝送帯域に相当するクロック信号でオーバーサンプリング処理する。スタッフ回路１１２は無線フレームに多重するためのスタッフ同期処理を行う。フレーム多重回路１１３はスタッフ回路１１２においてスタッフ同期処理した信号を無線フレームへ多重し、無線送信回路１１４へ送る。無線送信回路１１４は、受けた信号を変調して受信側伝送装置に向け無線伝送路を介して伝送する。
【０００８】
他方、受信側伝送装置１２０では、無線受信回路１２１が、無線伝送路を介して受信したデータ信号を復調すると共にクロック抽出を行い、その結果をフレーム同期回路１２２及び平滑化回路１２５へ出力する。フレーム同期回路１２２は、無線受信回路１２１から入力される復調後のデータ信号およびクロック信号に対してフレーム同期を確立し、無線フレームに多重されているデータを分離するためのタイミング信号を生成する。データ抽出回路１２３は、フレーム同期回路１２２から入力されるタイミング信号によりデータ信号の抽出を行う。デスタッフ回路１２４は上述の送信側スタッフ回路１１２でスタッフ同期処理されたデータ信号にデスタッフ処理を行う。平滑化回路１２５はデスタッフ処理したデータ信号およびクロック信号に対して平滑化を行い、着信端末への出力インタフェースによりデータ信号を出力する。
【０００９】
図１３は、上述した送信側伝送装置１１０と受信側伝送装置１２０とを用いて中継伝送局１００Ｔを構築した場合を説明する図である。図示される構成では、データ信号は、送信端局２００Ｓから中継伝送局１００Ｔを経由して受信端局２００Ｒに伝送される。すなわち、発信端末を接続する送信端局２００Ｓの送信側伝送装置１１０と中継伝送局１００Ｔの受信側伝送装置１２０とは、図１２に示される関係にある。同様に、中継伝送局１００Ｔの送信側伝送装置１１０と受信端局２００Ｒの受信側伝送装置１２０との関係も、図１２に示されると同一である。
【００１０】
ここで、中継伝送局１００Ｔ内部の局内中継伝送路で、受信側伝送装置１２０から送信側伝送装置１１０へ入力される伝送されるデータ信号は、送信側伝送装置１１０で、端末との入力インタフェースにより入力されるため非同期のシリアルデータ信号として処理される。
【００１１】
このような伝送路構成で、無線伝送路が複数の中継伝送局１００Ｔを経由する場合、中継伝送局と同数の送信側伝送装置を経由する。すなわち、中継伝送局の送信側伝送装置を経由するたびにオーバーサンプリング回路で、シリアルデータ信号に非同期かつ非整数倍オーバーサンプリング処理を行うことになる。この処理によるサンプリング誤差が蓄積された場合、シリアルデータ信号の再生が不可能になる。
【００１２】
【特許文献１】特開２０００−１１５１４５号公報
【発明の開示】
【発明が解決しようとする課題】
【００１３】
解決しようとする課題は、上記第１の方式を用いて回路規模が大きくなる問題点を上記第２の方式により回避するとしても、上記第２の方式では、無線伝送装置を複数段用いてシリアルでデータ信号の中継伝送を行った場合、シリアルデータ信号の伝送品質低下が避けられないことである。その理由は、各中継伝送局で送信側伝送装置を経由するたびに非同期かつ非整数倍オーバーサンプリング処理を行うことになるので、サンプリング誤差が蓄積されてシリアルデータ信号の再生が不可能になるためである。
【課題を解決するための手段】
【００１４】
本発明は、中継伝送局によるシリアルデータ信号の伝送品質の低下を防ぐことを目的として、中継伝送局での非同期オーバーサンプリング処理を削除することを主要な特徴とする。
【００１５】
すなわち、本発明による無線伝送方法は、無線伝送路に挿入配設される中継伝送局における中継伝送のための方法であって、入力するデータ信号を前記無線伝送路の無線フレーム中で予め割り当てられた帯域のクロック信号に同期したシリアル信号に変換し、同期された当該シリアル信号とクロック信号とを、中継伝送局の局内中継伝送路を介して伝送している。
【００１６】
このような構成により、中継伝送局では、局内中継伝送路で伝送される前記シリアル信号及び前記クロック信号が同期しているので、送信側で非同期入力のためのオーバーサンプリング回路を不要としている。これにより、シリアルデータ信号の伝送品質の低下を防ぐことができる。
【００１７】
このため、中継伝送局内で受信側伝送装置から送信側伝送装置へ中継伝送する際、前記送信側伝送装置では、局内中継伝送路から伝送される同期された前記シリアル信号及び前記クロック信号を直接スタッフ処理から多重処理して無線フレームに形成することができる。更に、前記送信側伝送装置にオーバーサンプリング処理手段を具備し、前記スタッフ処理への入力を、局内中継伝送路に接続の際には伝送される同期された前記シリアル信号及び前記クロック信号、又は、端末入力インタフェースに接続の際には前記オーバーサンプリング処理手段を介して送出されるデータ信号及びそのクロック信号、に切替え接続することが、同一構成で無線端局又は中継伝送局に設定できるので好ましい。
【００１８】
具体的な無線伝送装置として、受信側伝送装置と送信側伝送装置とが配備される。
【００１９】
一方の受信側伝送装置は、基本構成として、無線受信回路とフレーム同期回路とデータ抽出回路とデスタッフ回路と平滑化回路とを有する。無線受信回路は、受信した前記データ信号に対して復調及びクロック抽出を行う。フレーム同期回路は、前記無線受信回路により復調された信号及び抽出されたクロック信号からフレーム同期を確立し、後続回路の動作タイミングを生成する。データ抽出回路は、前記フレーム同期回路から入力されるタイミングにより前記無線フレームに多重されたデータ信号の抽出を行う。デスタッフ回路は、前記フレーム同期回路から入力されるタイミングにより前記データ抽出回路から入力されるデータ信号に対してデスタッフ処理を行う。平滑化回路は、前記デスタッフ回路から入力されるデスタッフ処理後の同期されたデータ信号およびクロック信号に対して平滑化処理を行い、平滑化処理後の同期されたデータ信号およびクロック信号を出力する。
【００２０】
他方の送信側伝送装置は、基本構成として、基準発振器と送信タイミング生成回路とスタッフ回路とフレーム多重回路と無線送信回路とを備える。基準発振器は、送信用基準クロック信号を生成する。送信タイミング生成回路は、伝送装置回路動作用のタイミングを生成する。スタッフ回路は、データ信号およびクロック信号を入力し、送信出力する無線フレームに多重するために前記送信タイミング生成回路から入力するタイミングにより同期変換を行う。フレーム多重回路は、スタッフ処理後のデータ信号を、前記送信タイミング生成回路から入力するタイミングにより無線フレームに多重する。無線送信回路は、出力する無線フレームに対応して変調し、送信を行う。
【００２１】
この送信側無線伝送装置は、更に、内部発振器とオーバーサンプリング回路と切替回路とを備えることができる。内部発振器は、オーバーサンプリングのためのタイミングクロック信号を生成する。オーバーサンプリング回路は、外部から入力されるシリアルデータ信号をオーバーサンプリングする。切替回路は、前記オーバーサンプリング回路と前記スタッフ回路との間に設けられ、外部からの入力が送信端局か中継伝送局かの局設定通知を受け、送信端局の場合には前記オーバーサンプリング回路の出力、又は、中継伝送局の場合には局内中継伝送路から受信する同期されたデータ信号およびクロック信号、を切り替えて前記スタッフ回路へ出力する。このような構成により、一つの送信側無線伝送装置を無線の無線端局にもまた中継伝送局にも使用することができる。
【００２２】
更に、送信側無線伝送装置で、前記内部発振器が分周回路であり、出力するタイミングクロック信号を前記基準発振器により生成される送信用基準クロック信号から分周して生成することにより、前記内部発振器を削除できる。
【００２３】
また、無線伝送局に上記受信側伝送装置及び上記送信側伝送装置を設けて中継伝送路により接続し同期されたデータ信号及びクロック信号の両者それぞれを伝送することにより、送信側無線伝送装置でオーバーサンプリング回路を削除した構成にできる。
【００２４】
一方では、前記オーバーサンプリング回路を更に設けると共に中継伝送局内で対向する受信側伝送装置からの中継伝送路に対する切替回路を備えることにより、一つの伝送装置で無線端局又は中継伝送局に使用することができる。
【発明の効果】
【００２５】
本発明の無線伝送方法及びその装置は、中継伝送局内において、受信側伝送装置と送信側伝送装置との間を中継伝送用のインタフェースを使用し、同期されたシリアルデータ信号及びクロック信号を同時に伝送しているため、送信側伝送装置における非同期オーバーサンプリング処理を削減することができる。これにより、受信側伝送装置と送信側伝送装置とを組合せて複数段の中継伝送システムを構成しても、中継伝送によるシリアルデータ信号の伝送品質の低下を防ぐことができるという利点がある。
【００２６】
更に、本発明による無線伝送装置は、オーバーサンプリング回路を内蔵してオーバーサンプリング回路の使用・不使用を切替えすることにより、伝送端局又は中継伝送局のいずれにも同一装置で構築することができる。
【発明を実施するための最良の形態】
【００２７】
無線伝送での中継伝送によるシリアルデータ信号の伝送品質低下を防ぐという目的を、中継伝送局内の伝送路に同期されたシリアルデータ信号とクロック信号とを同時に伝送することにより、オーバーサンプリング回路を削除して実現した。更に、無線端局及び中継伝送局のいずれにも使用可能にしたことにより、無線伝送装置のコストアップを抑えることができた。
【００２８】
次に、実施の形態について、図面を参照して説明する。図面にはスペースの関係で本発明に係る部分は記載されているが、無線伝送装置及びシステムとして必須の機能でも図示から省略されているものがある。また、それぞれで実施態様が説明されているが、上記手段に記載された機能を発揮するものであればその構成は自由であり、下記説明は本発明を限定するものではない。
【実施例１】
【００２９】
本発明の実施例１について図１を参照して説明する。
【００３０】
図１は、本発明による無線伝送装置を無線伝送局１に配設した際の実施の一形態をブロックで示す図である。無線伝送局１は切替設定により伝送端局又は中継伝送局のいずれかに設定することができる。
【００３１】
図示される無線伝送局１は、無線伝送路を収容して接続するほか、外部の送信端局２Ｓ及び受信端局２Ｒそれぞれを収容し接続できる。内部には、無線伝送装置として送信側伝送装置１０及び受信側伝送装置２０が備えられている。送信側伝送装置１０は、データ信号を、送信端局２Ｓからのインタフェースで入力し無線伝送路に出力する上述した従来の機能を有する。受信側伝送装置２０は、データ信号を、無線伝送路から入力し受信端局２Ｒへのインタフェースで出力する上述した従来の機能を有する。このような送信側伝送装置１０及び受信側伝送装置２０を配備することにより、従来同様の無線端局を形成することができる。
【００３２】
本実施態様の送信側伝送装置１０及び受信側伝送装置２０は、更に、両者を局内中継伝送路で接続し、無線伝送局１を中継伝送局に形成できる。局内中継伝送路は、受信側伝送装置２０から送信側伝送装置１０へ同期されたシリアルデータ信号とそのクロック信号とが伝送される。従って、受信側伝送装置２０は、同期されたシリアルデータ信号とそのクロック信号とを出力する。送信側伝送装置１０は、送信端局２Ｓからの入力と局内中継伝送路からの入力とを切り替える切替回路を備えている。
【００３３】
また、無線伝送局１には、更に端局中継局設定部３０が付加して備えられている。端局中継局設定部３０は、本実施態様による無線伝送装置を配設した局が無線端局か中継伝送局かのいずれであるかを予め設定している。すなわち、無線伝送局を無線端局として使用する場合、端局設定の局設定信号が送信側伝送装置１０へ出力される。無線伝送局を中継伝送局として使用する場合には、局設定信号が中継局設定になる。送信側伝送装置１０は局設定信号を受けて、送信端局２Ｓからの入力と局内中継伝送路からの入力とを切り替える。
【００３４】
次に、図２を参照して送信側伝送装置１０及び受信側伝送装置２０について詳細を説明する。図２は、実施例１における送信側伝送装置１０及び受信側伝送装置２０それぞれの一態様を機能ブロックで示す図である。
【００３５】
送信側伝送装置１０は、オーバーサンプリング回路１１、切替回路１２、スタッフ回路１３、フレーム多重回路１４、無線送信回路１５、オーバーサンプリング用の内部発振器１６、装置基準発振器１７、及び送信タイミング生成回路１８により構成される。
【００３６】
オーバーサンプリング回路１１は、端局入力インタフェースから入力されたシリアルデータ信号１aを内部発振器１６のオーバーサンプリングクロック信号１cでオーバーサンプリングしオーバーサンプリングデータ信号１bを出力する。切替回路１２は、外部から入力される局設定信号１fに従い、無線伝送局１を無線端局と設定した場合にはオーバーサンプリングクロック信号1c及びオーバーサンプリングデータ信号１bを選択し、また中継伝送局と設定した場合には局内中継伝送路から入力される中継伝送用データ信号１d及び中継伝送用クロック信号１eを選択し、それぞれを送信データ信号１g及び送信クロック信号１hとしてスタッフ回路１３へ出力する。
【００３７】
スタッフ回路１３は、切替回路１２から入力される送信データ信号１gおよびクロック信号１hを送信タイミング生成回路１８で生成されたオーバーヘッド送信クロック信号１kでスタッフ処理し、オーバーヘッド多重信号１mをフレーム多重回路１４へ出力する。フレーム多重回路１４は、送信タイミング生成回路１８から出力されるオーバーヘッド多重タイミング信号１jに従い、スタッフ回路１３から入力されるオーバーヘッド多重信号１mを無線フレームのオーバーヘッド領域に多重し、無線フレーム送信データ信号１nを生成して無線送信回路１５へ出力する。
【００３８】
無線送信回路１５は、フレーム多重回路１４から入力される無線フレーム送信データ信号１nに対して変調を行い、無線伝送路へ出力する。内部発振器１６は、オーバーサンプリング用であり、スタッフ回路１３へオーバーヘッド送信クロック信号１k、フレーム多重回路１４へオーバーヘッド多重タイミング信号１j、それぞれを生成して出力する。装置基準発振器１７は、装置送信用基準クロック信号１iを生成して送信タイミング生成回路１８へ送出する。送信タイミング生成回路１８は、装置基準発振器１７から装置送信用基準クロック信号１iを受け、無線フレームのオーバーヘッド領域へ多重するためのオーバーヘッド多重タイミング信号1j及びオーバーヘッド送信クロック信号1kを生成する。
【００３９】
受信側伝送装置２０は、無線受信回路２１、フレーム同期回路２２、データ抽出回路２３、デスタッフ回路２４、及び平滑化回路２５により構成される。
【００４０】
無線受信回路２１は、無線伝送路を介して対向する送信側伝送装置１０の無線送信回路１５から受信した無線データ信号に対して復調およびクロックの抽出を行う。その結果、無線受信回路２１は、無線フレーム受信データ信号２aをフレーム同期回路２２及びデータ抽出回路２３へ出力し、無線フレーム受信クロック信号２bをフレーム同期回路２２及び平滑化回路２５へ出力する。
【００４１】
フレーム同期回路２２は、無線受信回路２１から入力される無線フレーム受信データ信号２aに対して、フレーム同期を確立し、オーバーヘッド分離タイミング信号２cをデータ抽出回路２３及びデスタッフ回路２４へ出力する。データ抽出回路２３は、フレーム同期回路２２から入力されたオーバーヘッド分離タイミング信号２cに従い、無線受信回路２１から入力される無線フレーム受信データ２aのオーバーヘッド領域に多重されているデータ信号を分離し、オーバーヘッド抽出信号２dをデスタッフ回路２４へ出力する。
【００４２】
デスタッフ回路２４は、データ抽出回路２３から入力されたオーバーヘッド抽出信号２dに対してデスタッフ処理を行い、デスタッフデータ信号２e及びデスタッフクロック信号２fを平滑化回路２５へ出力する。平滑化回路２５は、デスタッフ回路２４から入力されたデスタッフデータ信号２e及びデスタッフクロック信号２fに対して無線フレーム受信クロック信号２bを用いて平滑化処理する。その結果、平滑化回路２５は、受信データ信号２gを端局出力インタフェース及び局内中継伝送路へ出力すると共に、受信データ信号２gに同期した受信クロック信号２hを局内中継伝送路へ出力する。
【００４３】
上述したように、送信側伝送装置１０及び受信側伝送装置２０それぞれは、端局中継局設定部３０において予め局設定することにより、無線端局又は中継伝送局のいずれにでも使用することができる。
【００４４】
次に、図３に図２を併せ参照して図２におけるオーバーサンプリング回路１１及び切替回路１２の構成における実施の一形態を機能ブロックで示す図である。
【００４５】
オーバーサンプリング回路１１は、Ｄ−ＦＦ（Ｄ型フリップフロップ回路）３１で実現でき、Ｄ−ＦＦ３１が、端局入力インタフェースから入力されたシリアルデータ信号１aを内部発振器１６のオーバーサンプリングクロック信号１cでオーバーサンプリングしてオーバーサンプリングデータ信号１bを出力する。
【００４６】
また、切替回路１２は二つのＳＷ（切替スイッチ）３２，３３で構成できる。ＳＷ３２，３３は外部から入力される局設定信号１fの伝送端局または中継伝送局いずれかの局設定に従い、同時に切替えを行う。ＳＷ３２はオーバーサンプリングデータ信号１bと中継伝送用データ信号１dとを切替えして送信データ信号１gを出力する。ＳＷ３３はオーバーサンプリングクロック信号１cと中継伝送用クロック信号１eとを切替えして送信クロック信号１hを出力する。このスイッチ構成は一例であり、周知のいずれの手段を用いても本発明を実施することができる。
【００４７】
次に、図４に図２を併せ参照して図２における平滑化回路２５の構成における実施の一形態を機能ブロックで示す図である。
【００４８】
図示される平滑化回路２５は平滑クロック生成回路３４及びメモリ３５により構成される。平滑クロック生成回路３４は、無線フレーム受信クロック信号２bを用いて受信クロック信号２hを生成する。メモリ３５は、デスタッフデータ信号２eを平滑化して受信データ信号２gを出力する。すなわち、デスタッフデータ信号２eは、デスタッフクロック信号２fで書み込まれ、受信クロック信号２hで読み出されることにより、受信クロック信号２hと同期し平滑化された受信データ信号２gとして出力される。
【００４９】
ここで、図５及び図６を参照して平滑化回路２５における入出力信号の動作について説明する。
【００５０】
例えば、オーバーヘッド抽出信号２dに対してＸクロック分を1スタッフ周期とする。スタッフ制御無しの場合は、1スタッフ周期においてＸビット分のデータビットが存在するが、スタッフ制御有りの場合には、1スタッフ周期において「Ｘ−１」ビット分のデータビットが存在する。従って、スタッフ制御無しの場合は平滑化を行う必要が無い。しかし、スタッフ制御有りの場合には、1スタッフ周期中における「Ｘ−１」ビットのビット幅が均一になるようにデータ信号およびクロック信号の平滑化処理を行うことが必要である。この結果、スタッフ制御により歯抜けになった分のサンプリング誤差および揺らぎを抑圧することができる。このため、スタッフ制御の有無により、平滑化処理後の受信データ信号２g及び受信クロック信号２hは無線フレーム受信クロック信号２bに対して1スタッフ周期中に1クロック分のサンプリング誤差及びゆらぎが発生する。しかし、平滑化回路２５で発生するサンプリング誤差およびゆらぎは無線フレーム受信クロック信号２bの1クロック分であり、オーバーサンプリング回路１１で発生するオーバーサンプリングクロック信号１cの1クロック分のサンプリング誤差に対して、十分小さいものである。平滑化回路２５で平滑化処理の行われた受信データ信号２gは端局出力インタフェース及び局内中継伝送路へ２分岐出力される。また、受信データ信号２gに同期した受信クロック信号２hは局内中継伝送路へ出力される。
【００５１】
次に、図７に図２を併せ参照して発信端末から着信端末までに一つの中継伝送局を介して無線伝送する構成の一実施態様について説明する。図７は本発明による送信側伝送装置１０及び受信側伝送装置２０を二段に接続して中継伝送する無線伝送システムの実施の一形態をブロックで示す図である。図示されるように、送信端局２Ｓの送信側伝送装置１０Ｓは中継伝送局１Ｔの受信側伝送装置２０から送信側伝送装置１０Ｔを介して受信端局２Ｒの受信側伝送装置２０に接続される。ここで、送信側伝送装置１０Ｓ，１０Ｔの構成は図２に示される送信側伝送装置１０と同じ構成である。受信側伝送装置２０も図２に示されると同じ構成である。
【００５２】
送信端局２Ｓは送信側の無線端局であり、受信端局２Ｒは受信側の無線端局である。従って、端末を無線伝送路と接続する無線端局としては、送信端局２Ｓと受信端局２Ｒとが一つの無線伝送局に構築される。送信端局２Ｓの送信側伝送装置１０Ｓ及び受信端局２Ｒの受信側伝送装置２０それぞれは局設定信号により無線端局に設定されている。従って、送信端局２Ｓの送信側伝送装置１０Ｓでは、シリアルデータ信号１aが発信端末の端局入力インタフェースからオーバーサンプリング回路１１及び切替回路１２を介して入力し、無線伝送路に出力される。また、受信端局２Ｒの受信側伝送装置２０では、平滑化回路２５が着信端末の端末出力インタフェースに接続され、受信データ信号２gが出力される。
【００５３】
中継伝送局１Ｔは局設定信号により中継伝送局に設定されている。従って、中継伝送局１Ｔの送信側伝送装置１０Ｔでは、局内中継伝送路から入力される中継伝送用データ信号１d及び中継伝送用クロック信号１eが切替回路１２を介して入力し無線伝送路に出力される。中継伝送局１Ｔの受信側伝送装置２０では、平滑化回路２５が局内中継伝送路に接続されているので、受信データ信号２g及び受信クロック信号２hが出力される。これにより、受信側伝送装置２０から出力される受信データ信号２g及び受信クロック信号２hは局内中継伝送路を介し中継伝送用データ信号１d及び中継伝送用クロック信号１eとして送信側伝送装置１０に入力される。
【００５４】
次に、図８を参照して無線端局及び中継伝送局それぞれの相互間を接続する無線伝送路における無線フレームの構成についてその実施の一形態を説明する。図示される無線フレームは、前後に付加されるヘッダービットと、それに挟まれたペイロードビット及びオーバーヘッドビットとにより構成される。
【００５５】
また、図９には中継伝送局の局内中継伝送路におけるシリアルデータ信号の実施の一形態が示されている。図示されるシリアルデータ信号は、スタートビット及びストップビットとそれに挟まれる複数のデータビット及びパリティビットとで構成され、スタートビットからストップビットまでを一塊とするバーストデータ信号により伝送される。
【００５６】
次に、図７に図２を併せ参照して、発信端末から着信端末までに一つの中継伝送局を介して無線伝送する場合の、データ信号の流れを中心とした伝送装置の動作について説明する。伝送装置の構成は、既に上述してある。
【００５７】
まず、送信端局２Ｓの送信側伝送装置１０Ｓでは、発信端末から端局入力インタフェースを介して入力されるシリアルデータ信号１aが、オーバーサンプリング回路１１で、内部発振器１６からのオーバーサンプリングクロック信号１cによりオーバーサンプリング処理され、オーバーサンプリングデータ信号１bとして出力される。内部発振器１６からのオーバーサンプリングクロック信号１cは、無線フレームのオーバーヘッド容量に相当するクロック速度とする。発信端末から端局入力インタフェースを介して入力されたシリアルデータ信号１aと内部発振器１６から生成されたオーバーサンプリングクロック信号１cとは非同期かつ非整数倍である。そのため、シリアルデータ信号１aとオーバーサンプリングデータ信号１bとの間で、オーバーサンプリングクロック信号１cに対して、最大1クロック分のサンプリング誤差が発生する。
【００５８】
切替回路１２は外部から入力される局設定信号１fにより無線端局に設定されているので、切替回路１２により上記オーバーサンプリングデータ信号１bおよびオーバーサンプリングクロック信号１cが選択され、送信データ信号１gおよび送信クロック信号１hとしてスタッフ回路１３へ出力される。一方、送信タイミング生成回路１８では、装置基準発振器１７の装置送信用基準クロック信号１iから無線フレームのオーバーヘッド領域へ多重するためのオーバーヘッド多重タイミング信号１jとオーバーヘッド送信クロック信号１kとを生成している。
【００５９】
切替回路１２から出力された送信データ信号１gは、スタッフ回路１３で送信クロック信号１hを用いてメモリに蓄えられる。次いでスタッフ回路１３で、蓄えられた送信データ信号１gはオーバーヘッド送信クロック信号１kによりスタッフ同期処理を行われ無線フレームに多重するオーバーヘッド多重信号１mとして出力される。オーバーヘッド多重信号１mは、フレーム多重回路１４でオーバーヘッド多重タイミング信号１jにより無線フレームのオーバーヘッド領域へ多重され、無線フレーム送信データ信号１nとして無線送信回路１５へ出力される。無線フレーム送信データ信号１nは、無線送信回路１５で変調され、無線伝送路へ送出される。
【００６０】
続いて、中継伝送局１Ｔでは、受信側伝送装置２０において、無線伝送路から受信された無線フレーム送信データ信号１nが無線受信回路２１により復調及びクロック抽出されて無線フレーム受信データ信号２a及び無線フレーム受信クロック信号２bとして出力される。無線フレーム受信データ信号２a及び無線フレーム受信クロック信号２bは、フレーム同期回路２２でフレーム同期を確立し、オーバーヘッド分離タイミング信号２cとして出力される。一方、無線フレーム受信データ信号２aは、データ抽出回路２３により、フレーム同期回路２２からのオーバーヘッド分離タイミング信号２cに従い、オーバーヘッド領域に多重されているデータ信号が分離され、分離された信号がオーバーヘッド抽出信号２dとしてデスタッフ回路２４へ出力される。オーバーヘッド抽出信号２dは、デスタッフ回路２４により、フレーム同期回路２２からのオーバーヘッド分離タイミング信号２cに従い、デスタッフ処理され、デスタッフデータ信号２e及びデスタッフクロック信号２fとして平滑化回路２５へ出力される。デスタッフデータ信号２eは、平滑化回路２５で、デスタッフクロック信号２fによりいったんメモリに蓄えられる。一方、無線受信回路２１から出力される無線フレーム受信クロック信号２bは、平滑化回路２５で分周され受信クロック信号２hとして生成される。蓄えられたデスタッフデータ信号２eは、受信クロック信号２hにより受信データ信号２gとして読み出され、受信クロック信号２hと共に局内中継伝送路へ送出される。
【００６１】
続いて、中継伝送局１Ｔ内の局内中継伝送路に接続される送信側伝送装置１０Ｔでは、受信データ信号２gが中継伝送用データ信号１dとして、また受信クロック信号２hが中継伝送用クロック信号１eとして、それぞれ切替回路１２に入力する。送信側伝送装置１０Ｔでは、局設定信号１fで中継局が設定されているので、切替回路１２を介して、中継伝送用データ信号１dが送信データ信号１gとして、また中継伝送用クロック信号１eが送信クロック信号１hとしてスタッフ回路１３に入力する。スタッフ回路１３以降のフレーム多重回路１４及び無線送信回路１５並びに送信タイミング生成回路１８に係る動作は、上述の送信端局２Ｓの送信側伝送装置１０Ｓにおける動作と同一であり、その説明は省略する。
【００６２】
続く受信端局２Ｒの受信側伝送装置２０の動作については、上述したように、受信側伝送装置２０が中継伝送局１Ｔの受信側伝送装置２０と同一の構成のため、動作も同じである。ただし、受信端局２Ｒにおける受信側伝送装置２０では、端局出力インタフェースを用いてシリアルデータ信号の出力を行う。
【００６３】
本発明では、以上説明したような構成を有するので、端局中継局設定部により無線端局と中継伝送局とを予め設定することにより、同一の送信側伝送装置１０及び受信側伝送装置２０を用いて構築された無線伝送局を、無線端局又は中継伝送局として使用することができる。その上、中継伝送局として使用する場合、送信側伝送装置では、オーバーサンプリング回路を切り離すことにより伝送路から削除することができる。従って、中継伝送局で非同期オーバーサンプリング処理の削減が可能になり、非同期シリアルデータ信号による伝送品質低下を軽減することができる。
【実施例２】
【００６４】
本発明の実施例２について図１０に図１を併せ参照して説明する。
【００６５】
図１０は図１の構成において送信側伝送装置１０を送信側伝送装置１０Ａにしたものである。送信側伝送装置１０Ａには、図２の送信側伝送装置１０の内部発振器１６の代わりに分周回路１９が配備されている。すなわち、分周回路１９は、装置基準発振器１７から装置送信用基準クロック信号１iを入力して分周し、図２の内部発振器１６から出力されると同一のオーバーサンプリングクロック信号１cを生成する。従って、オーバーサンプリングクロック信号１cは、オーバーサンプリング回路１１および切替回路１２へ出力される。この実施態様では、オーバーサンプリングクロック信号１cを装置送信用クロック信号１iから生成するため、オーバーサンプリング用の内部発振器１６を削除することが可能になる。
【実施例３】
【００６６】
本発明の実施例３について図１１に図２及び図１０を併せ参照して説明する。
【００６７】
図１１の送信側伝送装置１０Ｂと図２及び図１０との相違は、オーバーサンプリング回路１１及び切替回路１２に係る回路が削除されていることである。このため、局内中継伝送路に接続される送信側伝送装置１０Ｂでは、受信データ信号２gが送信データ信号１gとして、また受信クロック信号２hが送信クロック信号１hとして、それぞれスタッフ回路１３に直接入力する。この結果、本伝送装置により中継伝送局が専用に構築される。
【００６８】
従って、中継伝送局での非同期オーバーサンプリング処理が削減されるので、伝送品質低下を軽減することができる。更に、従来の構成から構成要素が削除されるのみであり、新規の回路形成は不要であるので、資源の低減を図ることができる。
【産業上の利用可能性】
【００６９】
無線伝送局で無線伝送路に接続される受信側伝送装置と送信側伝送装置とを用いて中継伝送局を構成する際、送信側伝送装置から非同期オーバーサンプリング処理のための回路を切り離すことにより、中継伝送のために生じる伝送品質低下を容易に軽減することができる。従って、専用に回路構成した場合、資源の削減が可能である。更に、無線端局か中継伝送局かにより非同期オーバーサンプリング処理のための回路を切り替えることにより同一回路構成で伝送端局又は中継伝送局に設定可能となりコストの低減を図ることができる。従って、非同期オーバーサンプリング処理を必要とする無線伝送システムで、複数段の中継伝送局を設ける場合のような、伝送品質低下とコスト又は資源の削減とが必要な用途に適用させることができる。
【図面の簡単な説明】
【００７０】
【図１】本発明による無線伝送局の実施の一形態をブロック構成で示した図である。（実施例１、２）
【図２】本発明による無線伝送装置の実施の一形態を機能ブロックで示した図である。（実施例１）
【図３】図２の送信側伝送装置における本発明に係る部分詳細の実施の一形態を機能ブロックで示した回路図である。（実施例１）
【図４】図２の受信側伝送装置における本発明に係る部分詳細の実施の一形態を機能ブロックで示した回路図である。（実施例１）
【図５】図４の平滑化回路におけるスタッフ無し動作の場合における実施の一形態をタイムチャートで示した図である。（実施例１）
【図６】図４の平滑化回路におけるスタッフ有り動作の場合における実施の一形態をタイムチャートで示した図である。（実施例１）
【図７】本発明による無線伝送方式の中継伝送局を含む実施の一形態をブロック構成で示した図である。（実施例１、２）
【図８】本発明で無線伝送路に伝送される無線フレームの実施の一形態をフレーム構成で示した図である。（実施例１）
【図９】本発明で局内中継伝送路に伝送されるシリアルデータ信号の実施の一形態をタイムチャートで示した図である。（実施例１）
【図１０】図２とは異なる無線伝送装置の実施の一形態を機能ブロックで示した図である。（実施例２）
【図１１】図２及び図１０とは異なる無線伝送装置の実施の一形態を機能ブロックで示した図である。（実施例３）
【図１２】従来の無線伝送装置の一例を機能ブロックで示した図である。
【図１３】従来の無線伝送方式の中継伝送局を含む一例をブロック構成で示した図である。
【符号の説明】
【００７１】
１    無線伝送局
１Ｔ    中継伝送局
２Ｒ    受信端局
２Ｓ    送信端局
１０、１０Ａ、１０Ｂ、１０Ｓ、１０Ｔ    送信側伝送装置
１１    オーバーサンプリング回路
１２    切替回路
１３    スタッフ回路
１４    フレーム多重回路
１５    無線送信回路
１６    内部発振器
１７    装置基準発振器
１８    送信タイミング生成回路
１９    分周回路
２１    無線受信回路
２２    フレーム同期回路
２３    データ抽出回路
２４    デスタッフ回路
２５    平滑化回路
３０    端局中継局設定部
３１    Ｄ−ＦＦ
３２、３３    ＳＷ
３４    平滑クロック生成回路
３５    メモリ
【図１】
0004840574.tif 000002
【図２】
0004840574.tif 000003
【図３】
0004840574.tif 000004
【図４】
0004840574.tif 000005
【図５】
0004840574.tif 000006
【図６】
0004840574.tif 000007
【図７】
0004840574.tif 000008
【図８】
0004840574.tif 000009
【図９】
0004840574.tif 000010
【図１０】
0004840574.tif 000011
【図１１】
0004840574.tif 000012
【図１２】
0004840574.tif 000013
【図１３】
0004840574.tif 000014